【手続補正書】
【提出日】令和1年10月4日(2019.10.4)
【手続補正１】
【補正対象書類名】明細書
【補正対象項目名】００４１
【補正方法】変更
【補正の内容】
【００４１】
図９を参照して、プロジェクターＰＪからの投写画像の高さを合わせる方法について説明する。
まず、各々のプロジェクターが有する撮像部３０によって、投写画像を撮像する。各々のプロジェクターは、撮像された投写画像の中心を算出する。投写画像の中心は液晶パネル中心であり光軸中心でもある。次に、メインプロジェクターは、他の各プロジェクターが算出した投写画像の中心データを順番に取得する。メインプロジェクターは、取得した投写画像の中心データのリストを作成する。
以降、中央に位置するプロジェクターをメインプロジェクターとし、メインプロジェクターの中心データを、高さ基準として説明する。メインプロジェクターの投写画像の中心座標ＰＣ２がｘｙ座標における座標（ａ，ｂ）である。メインプロジェクターの左側のプロジェクターの投写画像の中心座標ＰＣ１がｘｙ座標における座標（ｃ，ｄ）である。メインプロジェクターの右側のプロジェクターの投写画像の中心座標ＰＣ３がｘｙ座標における座標（ｅ，ｆ）である。メインプロジェクターの左右のプロジェクターから投写される投写画像の中心は、中心座標ＰＣ２の高さ方向の座標である”ｂ”と、ずれがあるため高さを合わせる補正を行う。メインプロジェクターの左側のプロジェクターは、補正データ（ｂ−ｄ）だけ投写画像をｙ軸方向のプラス側に上げる。メインプロジェクターの右側のプロジェクターは、補正データ（ｆ−ｂ）だけ投写する画像をｙ軸方向のマイナス側に下げる補正を行う。高さを合わせる補正の方法は、プロジェクターＰＪが有する投写部２０のレンズシフト機能を利用して投写位置の補正を行う。なお、補正データ量がレンズシフト範囲を超えている場合には補正データ量が超えたプロジェクターが「レンズシフト補正量を超えています。プロジェクター本体の高さ調整を行ってください」と、スクリーンに投写する。ユーザーは、プロジェクター本体の高さ調整を行う。プロジェクターは、ユーザーがプロジェクター本体の高さ調整を終えた後に、再度投写位置の補正を実行する。
【手続補正２】
【補正対象書類名】明細書
【補正対象項目名】００６２
【補正方法】変更
【補正の内容】
【００６２】
［仮スクリーンサイズを微調整で所望のサイズに修正する］
ユーザーが指定操作を行うことで所望のスクリーンサイズを得ることができればよいが、実際には仮に得たスクリーンサイズの微調整を行いたいことがある。そこで、プロジェクターＰＪは、スクリーンサイズを表示した後に、サイズ微調整モードに移行する。
図１３に示すように、プロジェクターＰＪは「スクリーンサイズの微調整を実行しますか？」と投写して、ユーザーに問い合わせを行う。ユーザーが微調整を実行する旨を選択した場合には、プロジェクターＰＪは微調整モードに入る。ユーザーが微調整を実行しない旨を選択した場合には、プロジェクターＰＪは、先に提示したスクリーンサイズを表示するスクリーンサイズとして決定する。そして、プロジェクターＰＪはタイリングモードへと移行する。
本実施形態では、投写画像のアスペクト比が事前に決定されている場合の説明をしている。アスペクト比を変更したい場合には、ユーザーがメインプロジェクターのメニュー画面からアスペクト比変更を選択することで、アスペクト比を切り替えることができる。本実施形態では、ユーザーがメインプロジェクターのメニュー画面からアスペクト比を設定せずに、現在のインチ数の比率を元にして調整する場合と、アスペクト比を利用して調整する場合とを説明する。
【手続補正３】
【補正対象書類名】明細書
【補正対象項目名】００８４
【補正方法】変更
【補正の内容】
【００８４】
設定すべき横の長さ及び設定すべき縦の長さが算出できたので、メインプロジェクターは、上述した方法と同様に、投写画像の範囲の左端および下辺を基準に左上端および右下端の座標を算出すればよい。なお、投写画面中心を基準にして上下左右均等にサイズを拡大してもよい。
その後、メインプロジェクターは、変更前の投写サイズ枠ＦＳと、変更後の投写サイズ枠ＦＣとを投写する。メインプロジェクターは、ユーザーに対して、変更後の投写サイズを用いて投写サイズを設定してもよいかどうかの確認を行う。ユーザーは、投写サイズの設定がよければ、変更後の投写サイズによって設定する旨を選択する。メインプロジェクターは投写画像の範囲を、変更後の投写サイズに確定する。ユーザーは、投写サイズの設定がよくなければ、設定しない旨を選択する。メインプロジェクターは、ユーザーが設定しない旨を選択した場合、再度、投写サイズの設定を実行する。
なお、上述した変更前の投写サイズ枠ＦＳ及び変更後の投写サイズ枠ＦＣは、投写画像の範囲の境界が判る画像であれば何でもよく、枠画像に限られない。
【手続補正４】
【補正対象書類名】明細書
【補正対象項目名】００９４
【補正方法】変更
【補正の内容】
【００９４】
［第３実施形態  バックアップ機能］
ここまでは、プロジェクターＰＪがタイリングされた画像を投写する準備について説明した。次に、本実施形態が有するバックアップ機能について説明する。
実際の現場では、プロジェクターＰＪのランプ切れによる投写画像消滅のトラブルが発生することがある。また、実際の現場では、プロジェクターＰＪの機器故障により投写画像が乱れるトラブルが発生することがある。
そこで、本実施形態では、図１７に示すように、投写システム１には、第１のプロジェクターＭＰＪ一式に加えてバックアップ用である第２のプロジェクターＰＰＪ一式も準備している。第１のプロジェクターＭＰＪ一式とは、具体的には、第１のプロジェクターＭＰＪ１から第１のプロジェクターＭＰＪｎのプロジェクターが含まれる。第２のプロジェクターＰＰＪ一式とは、具体的には、第２のプロジェクターＰＰＪ１から第２のプロジェクターＰＰＪｎのプロジェクターが含まれる。ｎは１以上の整数である。第１のプロジェクターＭＰＪ一式及び、第２のプロジェクターＰＰＪ一式には、ｎ台のプロジェクターが含まれる。
第１の投写プロジェクターＭＰＪは、設置台Ｂの上に配置されている。第１の投写プロジェクターＭＰＪは、投写画像範囲ＭＰＡの範囲を投写する。第２のプロジェクターＰＰＪは、第１の投写プロジェクターＭＰＪに対して上部に設置されている。第２のプロジェクターＰＰＪは、投写画像範囲ＰＰＡの範囲を投写する。投写画像範囲ＭＰＡと、投写画像範囲ＰＰＡとは互いに同じ範囲に対して投写している。
第１のプロジェクターＭＰＪに機器トラブルが発生した場合、ユーザーは機器トラブルが発生したプロジェクターの上部、もしくは下部に設置しているバックアップ用プロジェクターＰＰＪのシャッターを素早く手動で開けることにより、機器トラブルに対処している。しかし、プロジェクターのランプはいつ切れるかわからないため、ユーザーにとってランプ切れの対応は、非常に負荷が重いものである。
【手続補正５】
【補正対象書類名】明細書
【補正対象項目名】００９７
【補正方法】変更
【補正の内容】
【００９７】
第１のプロジェクターＭＰＪが有する通信部８０と、バックアップ用である第２のプロジェクターＰＰＪが有する通信部８０とを通信線によって接続する。第１のプロジェクターＭＰＪは、図１８に示すような非常リストテーブルを有している。図１８は、非常リストテーブルの一例である。例えば、非常リストテーブルには、入力信号検出異常、プロジェクター温度異常（高温）、ランプ電圧異常（ランプ切れ）、ファン停止異常、ランプカバー開異常、及び電源異常が設定されている。なお、非常リストテーブルに設定されている異常状態は、上述したものに限られない。
【手続補正６】
【補正対象書類名】図面
【補正対象項目名】図１２
【補正方法】変更
【補正の内容】
【図１２】
2017191307.tif 000001